(57)【要約】【課題】患者に手術の緊張感を解くための音楽を聞かせるとともに、医師同士の会話の内容が患者の耳に入ってしまうのを防止することができ、さらに、必要時において、患者に状態の確認や指示を行うことのできる教育用装置の提供。【解決手段】手術室内において使用する教育用装置であって、マイクロフォンと、再生機と、イヤホンと、スピーカーと、フットスイッチとを備えてなり、フットスイッチがＯＦＦである場合は、再生機が、イヤホン及びスピーカーと電気的に接続された状態となり、フットスイッチがＯＮである場合は、マイクロフォンが、イヤホン及びスピーカーと電気的に接続された状態となるように設定されていることを特徴とする教育用装置。【選択図】図１
0003147556.tif 000002
【実用新案登録請求の範囲】
【請求項１】
手術室内において被教育者の教育に使用する教育用装置であって、音声を入力して音声データを作成するマイクロフォンと、音楽データを読み取る再生機と、マイクロフォン又は再生機からの音データを音声又は音楽として出力する、患者の耳に装着させるためのイヤホンと、イヤホンと共通の音声又は音楽を出力するスピーカーと、イヤホン及びスピーカーに電気的に接続させる入力手段をマイクロフォン又は再生機のいずれか一方に切り替えるためのフットスイッチとを備えてなり、フットスイッチがＯＦＦである場合は、再生機が、イヤホン及びスピーカーと電気的に接続された状態となり、フットスイッチがＯＮである場合は、マイクロフォンが、イヤホン及びスピーカーと電気的に接続された状態となるように設定されていることを特徴とする教育用装置。
【考案の詳細な説明】
【技術分野】
【０００１】
本考案は、手術室内において教育者が、被教育者を教育しながら手術を行なうのに適した教育用装置に関する。
【背景技術】
【０００２】
医師が介助術者となって、術者である他の医師に技術指導を行ないながら手術を進める場合などにおいて、医師同士の会話は、患者の近くで行われるものであり、また、時には、内容が明確に伝わるように大声で会話することもあることから、会話の内容が患者の耳に入ってしまい、会話の内容によっては、患者に不要な不安感を与えることがあった。
【０００３】
また、手術は、患者に精神的又は肉体的な負担がかからないよう、短時間に行なわれることが好ましいが、患者は、手術の緊張感から体に不必要な力を入れてしまう傾向にあり、円滑な手術の妨げとなる場合があった。
【０００４】
手術中におけるこのような課題を解決するものとして、特許文献１には、頭部が完全に嵌入する深さに凹陥させた凹部の、両耳に対応する部分に、小型スピーカーを内蔵することで、患者に音楽を聞かせることができるようにした手術台の枕が提案されている。この手術台の枕を用いた場合、手術中において、患者にリラックスさせるような音楽を耳元で聞かせることができるようになるとともに、医師同士の会話を打ち消して、会話の内容が患者に聞こえないようにする効果も得られる。
【０００５】
しかしながら、特許文献１に記載の手術台の枕を用いた場合には、患者は常に耳元で音楽を聞いている状態となることから、医師が、患者に状態の確認することや、患者に指示することが難しくなってしまい、かえって円滑な手術の妨げとなるという問題がある。この場合、流している音楽を止めてから患者に話しかける方法も考えられるが、音楽は患者の耳元からしか流れていないため、医師は音楽を止めた状態にあるかどうか判別しにくく、音楽を流した状態のまま患者に話しかけたり、又は、音楽を止めた状態のまま手術を進めたりしてしまう可能性があり、改善の余地があった。
【０００６】
【特許文献１】実公昭６３−２７７２５号公報
【考案の開示】
【考案が解決しようとする課題】
【０００７】
したがって、本考案の目的は、手術中において、患者の耳元で音楽を聞かせることにより、患者の緊張感を解くとともに、医師同士の会話の内容が患者の耳に入ってしまうのを防止し、さらに、必要に応じて、医師が患者に対して状態の確認や指示を行うことのできる教育用装置を提供することにある。また、本考案の目的は、上記のような機能を誤ることなく、簡単に実現させることのできる教育用装置を提供することにある。
【課題を解決するための手段】
【０００８】
上記課題は以下の本考案により解決される。すなわち、本考案は、手術室内において被教育者の教育に使用する教育用装置であって、音声を入力して音声データを作成するマイクロフォンと、音楽データを読み取る再生機と、マイクロフォン又は再生機からの音データを音声又は音楽として出力する、患者の耳に装着させるためのイヤホンと、イヤホンと共通の音声又は音楽を出力するスピーカーと、イヤホン及びスピーカーに電気的に接続させる入力手段をマイクロフォン又は再生機のいずれか一方に切り替えるためのフットスイッチとを備えてなり、フットスイッチがＯＦＦである場合は、再生機が、イヤホン及びスピーカーと電気的に接続された状態となり、フットスイッチがＯＮである場合は、マイクロフォンが、イヤホン及びスピーカーと電気的に接続された状態となるように設定されていることを特徴とする教育用装置である。
【考案の効果】
【０００９】
本考案によれば、手術中において、患者の耳元で音楽を聞かせることにより、患者の緊張感を解くとともに、医師同士の会話の内容が患者の耳に入ってしまうのを防止し、さらに、必要に応じて、医師が患者に対して状態の確認や指示を行うことのできる教育用装置を提供することができる。また、本考案によれば、上記のような機能を誤りなく、簡単に実現させることのできる教育用装置を提供することができる。
【考案を実施するための最良の形態】
【００１０】
以下、本考案の教育用装置について詳細に説明する。本考案の教育用装置の構成は、少なくとも、音声を入力して音声データを作成するマイクロフォンと、音楽データを読み取る再生機と、マイクロフォン又は再生機からの音データを音声又は音楽として出力する、患者の耳に装着させるイヤホンと、イヤホンと共通の音声又は音楽を出力するスピーカーと、イヤホン及びスピーカーに電気的に接続される入力手段をマイクロフォン又は再生機のいずれか一方に切り替えるフットスイッチとからなる。
【００１１】
図１は、本考案の教育用装置の特徴を説明するための説明図である。本考案の教育用装置は、図１に示すように、フットスイッチがＯＦＦである場合は、再生機が、イヤホン及びスピーカーと電気的に接続された状態となり、一方、フットスイッチがＯＮである場合は、マイクロフォンが、イヤホン及びスピーカーと電気的に接続された状態となるように設定されていることを特徴としている。
【００１２】
図２は、本考案の教育用装置を設置した手術室の一実施例を示す図である。本考案の教育用装置は、その構成である各機器を、図２に示すように、設置させて使用することができる。すなわち、マイクロフォン１は、医師の音声を拾える位置に設置され、再生機２は、手術室内の任意の位置に設置され、イヤホン３は、患者の耳に装着されて設置され、スピーカー４は、手術室内の任意の位置に設置され、フットスイッチ５は、医師の足元付近に設置される（図２参照）。また、これらの各機器は、コード線でミキサー6などを介して連結することができる。
【００１３】
そして、手術室内で手術を行なう場合において、通常は、再生機が読み取った音楽データを変換させて、患者に装着させたイヤホンと、手術室内に設置したスピーカーから音楽が流れるようにする。このようにすることで、教育などを目的として、医師が会話をしながら、手術を行なったとしても、患者に会話の内容が聞かれてしまうのを防止することができ、また、モニター類などの不快な音が患者の耳に入ってしまうことも防止することができる。また、患者に音楽を聴かせることにより、患者の緊張を解くことの期待もできる。さらに、医師は、患者が音楽を聴いている状態にあることをイヤホンと同じ音楽が流れるように設定されているスピーカーにより確認することができる。
【００１４】
また、医師が患者に状態の確認や指示を行ないたい場合には、医師は、足元に設置したフットスイッチを踏むことにより、フットスイッチがＯＮとなるようにする。これにより、再生機と、イヤホン及びスピーカーとは、電気的に切断された状態となるとともに、マイクロフォンと、イヤホン及びスピーカーとが電気的に接続された状態となる。すなわち、イヤホン及びスピーカーから流れていた音楽が止まる代わりに、マイクロフォンに入力した音声がイヤホン及びスピーカーから聞こえるようになる。このようにすることで、医師は自らが望んだ場合にのみ、患者に状態の確認や指示を行なうことができ、また、医師の状態の確認や指示は、イヤホンを通して患者に伝わるため、難聴者などに対しても明確に伝わるようになっている。なお、イヤホン又はスピーカーから流れる音楽又は音声の音量は、各機器と連結しているミキサーによって調整することができる。
【００１５】
以下、本考案の教育用装置の各構成について説明する。本考案を構成するマイクフォンは、医師が、患者に状態の確認や指示をするため、或いは、その他の外回り介助者などに指示するために使用するものであり、例えば、市販されているダイナミックマイク又はコンデンサマイクなどを用いることができる。マイクロフォンは、例えば、図２に示すように、医師の着衣などに設置される他、顕微鏡手術を行なう場合には、顕微鏡から目を離すことなく話ができる位置、例えば、顕微鏡自体に設置しておくことができる。
【００１６】
本考案を構成する再生機は、患者に音楽を聞かせる音楽データを読み取るためのものであり、その再生機としては、例えば、カセットプレイヤー、ＣＤ（コンパクトディスク）プレイヤー、デジタルプレイヤーなどの、市販品を用いることができる。これらは、図２に示すように、手術室内の任意の位置に設置できる他、手術室外に設置させることもできる。
【００１７】
本考案を構成するイヤホンは、患者が音楽又は音声を耳元で聞くために使用されるものであり、例えば、市販されているものを用いることができる。好ましくは、周りの音を効果的に遮音することのできる、カナル型イヤホンを用いることができる。イヤホンは、患者の両耳に装着させることが好ましい。
【００１８】
本考案を構成するスピーカーは、手術室内に、イヤホンと同じ音楽又は音声を流すためのものであり、例えば、市販されているものを用いることができる。スピーカーは、手術室内全域にわたって、音楽や音声が聞こえるように設置させることができる。また、手術室外の人にも伝達事項がある場合には、手術室外に設置してもよい。
【００１９】
本考案を構成するフットスイッチは、上記したように、入力手段を切り替えるためのものであり、例えば、市販されているものを用いることができる。フットスイッチは、術者など、操作するものの足元に設けることが好ましい。
【００２０】
本考案を構成するこれらの各機器は、ミキサーを介して連結されていることが好ましい。ミキサーを用いることによって、各機器の入力レベルの調整を簡単に行うことができるようになる。具体的には、イヤホンやスピーカーから流れる音量調整をミキサーを用いて簡単に行うことができる。また、スピーカーの音量調整はスピーカー本体を操作することによっても行える。なお、本考案の教育用装置に、さらに、マイクロフォンに入力させた音声を録音することができる機器を連結することで、手術記録に音声を加えるようにすることも可能となる。
【産業上の利用可能性】
【００２１】
本考案の教育用装置は、手術中に、患者に医師などの会話が聞こえてしまうのを、患者に音楽を聴かせることにより、効果的に防止することのできるものであり、教育者が被教育者を教育するのに適したものである。特に、被教育者が術者となって手術を行なう場合は、教育者である医師から頻繁な技術指導がなされるためより有効である。また、患者に聴かせる音楽として、リラックスできるものを選択することにより、効果的に患者の緊張を解くことができる。さらに、必要時には、医師は、状態の確認や指示を、イヤホンを通じて明確に患者に伝えることができる。そして、このような音楽と音声の切替えは、フットスイッチで簡単に行なうことができ、さらに、切替えが行われているかどうかの確認を、スピーカーから音楽が流れているか否かによって、医師は容易に判断することができる。
【図面の簡単な説明】
【００２２】
【図１】本考案の教育用装置の特徴を説明するための説明図。
【図２】本考案の教育用装置を設置した手術室の一実施例を示す説明図。
【符号の説明】
【００２３】
１：マイクロフォン
２：再生機
３：イヤホン
４：スピーカー
５：フットスイッチ
６：ミキサー
７：術者
８：患者
【図１】
0003147556.tif 000003
【図２】
0003147556.tif 000004